【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
存在検知センサと第１無線送信機とを有する存在検知器と、
計時要素と、
電気負荷用の端子と、
無線受信機と、を備え、
前記存在検知器は、少なくとも１つの予め設定可能な第１の信号又は少なくとも１つの第２の予め設定可能な信号を前記第１無線送信機により送信するように構成され、
前記存在検知センサは、前記第１無線送信機と接続され、
前記存在検知センサは、存在を検知した後に、第１の信号を送信させるようにし、
前記無線受信機は、予め設定可能な第１の信号を受信した場合には、スイッチング素子により端子を電気エネルギー源に連結し、または、最後に存在が検知された時点から所定時間が経過した後に、該端子を電気エネルギー源から切り離すように構成したことを特徴とするシステム。
【請求項２】
前記存在検知器は、前記計時要素を有し、最後に存在が検知された時点から所定時間が経過した後に、予め設定可能な第２の信号を送信させ、前記無線受信機が予め設定可能な第２の信号を受信した場合には、前記端子を前記電気エネルギー源から切り離すように構成したことを特徴とする請求項１記載のシステム。
【請求項３】
前記計時要素は、前記無線受信機に連結され、
予め設定可能な第１の信号が受信された場合には、所定時間が経過した後に前記端子が前記電気エネルギー源から切り離されるようにしたことを特徴とする請求項１記載のシステム。
【請求項４】
前記無線受信機は、有線電気機械スイッチング素子に連結され、
無線受信機でのスイッチング素子の第１スイッチ位置は、前記無線受信機を励起する入力信号を発生してスイッチング素子により電気負荷が前記電気エネルギー源に連結されるようにし、第２スイッチ位置は、前記無線受信機からの入力信号を切断して前記電気負荷が前記電気エネルギー源から切り離されるようにしたことを特徴とする請求項１〜３のいずれか１項に記載のシステム。
【請求項５】
前記無線受信機は、瞬時接触スイッチとして構成された有線電気機械スイッチング素子に連結され、
前記無線送信機でのスイッチング素子の第１スイッチングパルスは、前記無線受信機を励起する入力信号を発生し、スイッチング素子により電気負荷を電気エネルギー源に連結するようにし、第２スイッチングパルスは、前記無線受信機を励起し、スイッチング素子により電気負荷を電気エネルギー源から切り離すようにしたことを特徴とする請求項１〜３のいずれか１項に記載のシステム。
【請求項６】
少なくとも１つの予め設定可能な第１の信号又は少なくとも１つの予め設定可能な第２の信号を第２無線送信機により無線でかつエネルギー的に独立して送信するように構成された無線スイッチを設けたことを特徴とする請求項１〜５のいずれか１項に記載のシステム。
【請求項７】
前記無線スイッチは、電気機械エネルギー変換器に接続された作動要素を有し、
作動要素に作用した機械力が電気機械エネルギー変換器によって電気エネルギーに変換され、この電気エネルギーが第２無線送信機に導かれるようにしたことを特徴とする請求項６記載のシステム。
【請求項８】
前記無線スイッチは、第１方向における前記作動要素の作動を検知する第１作動センサと、第２方向における前記作動要素の作動を検知する第２作動センサとを備えたことを特徴とする請求項７記載のシステム。
【請求項９】
前記第１作動センサが反応した場合には第１所定信号が送信され、前記第２作動センサが反応した場合には第２所定信号が送信されることを特徴とする請求項８記載のシステム。
【請求項１０】
前記存在検知器は、
電気エネルギーを蓄積する蓄積要素と、
検知された存在を符号化する制御装置と、
存在検知センサでの電気信号の存在下で前記制御装置を作動させ、この電気信号が減衰した後は前記制御装置の作動を停止する検知回路と、
前記蓄積要素に接続され、前記存在検知器に電力を供給する光起電要素と、を少なくとも備えたことを特徴とする請求項１〜９のいずれか１項に記載のシステム。
【請求項１１】
前記検知回路はパルスモードで作動し、オフ位相がオン位相よりも長いことを特徴とする請求項１０記載のシステム。
【請求項１２】
前記蓄積要素はコンデンサ及び電気化学エネルギー蓄電池の少なくともいずれか一方であることを特徴とする請求項１０又は請求項１１記載のシステム。
【請求項１３】
前記存在検知センサは赤外線センサとして構成されることを特徴とする請求項１０〜１２のいずれか１項に記載のシステム。
【請求項１４】
前記赤外線センサは、赤外線照射野を集束させるレンズを有することを特徴とする請求項１３記載のシステム。
【請求項１５】
存在検知器を用いた方法であって、
存在が検知された後、予め設定可能な第１の信号を送信し、
予め設定可能な第１の信号が受信されたとき、電気負荷用の端子が無線受信機によりスイッチング素子を用いて電気エネルギー源に連結され、
最後に存在が検知された時点から所定時間が経過した後、前記端子は前記スイッチング素子により前記電気エネルギー源から切り離されることを特徴とする方法。
【請求項１６】
存在検知センサと、計時要素と、第１無線送信機とを備え、
少なくとも１つの予め設定可能な第１の信号又は少なくとも１つの予め設定可能な第２の信号を前記第１無線送信機により送信するように構成され、
前記存在検知センサは、前記第１無線送信機に連結され、
前記存在検知センサは、存在を検知した後、第１の信号を送信させ、最後に存在が検知された時点から所定時間が経過した後、予め設定可能な第２の信号を送信させることを特徴とする存在検知器。
【請求項１７】
電気エネルギーを蓄積する蓄積要素と、
検知された存在を符号化する制御装置と、
存在検知センサでの電気信号の存在下で前記制御装置を作動させ、この電気信号が減衰した後は前記制御装置の作動を停止する検知回路と、
前記蓄積要素に接続され、前記存在検知器に電力を供給する光起電要素と、を少なくとも備え、
前記光起電要素は、存在検知器の直接の作動に必要な寸法よりも小さいことを特徴とする請求項１６記載の存在検知器。
【請求項１８】
前記検知回路はパルスモードで作動し、オフ位相がオン位相よりも長いことを特徴とする請求項１７記載の存在検知器。
【請求項１９】
前記蓄積要素は、コンデンサ及び電気化学エネルギー蓄電池の少なくともいずれか一方であることを特徴とする請求項１７又は請求項１８に記載の存在検知器。
【請求項２０】
前記存在検知センサは赤外線センサとして構成されることを特徴とする請求項１６〜１９のいずれか１項に記載の存在検知器。
【請求項２１】
前記赤外線センサは、赤外線照射野を集束させるレンズを有することを特徴とする請求項２０記載の存在検知器。
【請求項２２】
前記第１無線送信機は非常に短い整定時間を有することを特徴とする請求項１６〜２０のいずれか１項に記載の存在検知器。
【請求項２３】
前記第１無線送信機は、周波数決定部品として表面波共振器を有することを特徴とする請求項１６〜２２のいずれか１項に記載の存在検知器。
【請求項２４】
前記第１無線送信機は、高帯域幅で送信することを特徴とする請求項１６〜２３のいずれか１項に記載の存在検知器。
【請求項２５】
計時要素を備えた無線受信機であって、
前記無線受信機は、予め設定可能な第１の信号を受信すると、スイッチング素子により端子を電気エネルギー源に結合するように構成され、
前記無線受信機は、予め設定可能な第１の信号を最後に受信してから所定時間が経過した後、スイッチング素子により端子を電気エネルギー源から切り離すように構成されたことを特徴とする無線受信機。
【請求項２６】
無線受信機は、有線電気機械スイッチング素子に連結され、
無線受信機でのスイッチング素子の第１スイッチ位置が入力信号を生成し、この入力信号は無線受信機を起動しスイッチング素子により端子を電気エネルギー源に結合し、
第２スイッチ位置は無線受信機から入力信号を切断して、端子を電気エネルギー源から切り離すことを特徴とする請求項２５記載の無線受信機。
【請求項２７】
無線受信機は、瞬時接触スイッチとして構成された有線電気機械スイッチング素子に連結され、
スイッチング素子の第１のスイッチングパルスが、無線受信機で入力信号を発生し、この入力信号は無線受信機を励起し、スイッチング素子により端子を電気エネルギー源に連結させるようにし、
第２スイッチングパルスは無線受信機を励起して、端子を電気エネルギー源から切り離すようにしたことを特徴とする請求項２５又は請求項２６記載の無線受信機。
【手続補正２】
【補正対象書類名】明細書
【補正対象項目名】０００５
【補正方法】変更
【補正の内容】
【０００５】
この目的を実行するために、後述する方策（measures）を提供する。この目的を実行するために、請求項１記載のシステム、請求項１５記載の方法、請求項１６記載の存在検知器、又は請求項２５記載の無線受信機を提供する。これらの請求項に直接的又は間接的に関連する従属請求項に記載された方策は、上記方策を有利な方法で発展する。